(57)【要約】  生体成分計測センサ（１０）は、生体からの光を受光する受光素子（２０）に設けられた複数の受光領域（２１，２２）と、上記光が入射する入口側開口部および上記光が出射する出口側開口部をそれぞれ含み、複数の受光領域（２１，２２）のそれぞれに対応して設けられて上記光を複数の受光領域（２１，２２）のそれぞれに導く複数の導波路（１５，１６）とを備える。複数の導波路（１５，１６）は、一体的に形成された導波路形成部材（１４）の内部に設けられ、複数の導波路（１５，１６）のそれぞれは、入口側開口部の開口面積が出口側開口部の開口面積よりも大きく形成されている。これにより、生体からの光を効率よく受光することができる生体成分計測センサとすることができる。【特許請求の範囲】
【請求項１】
生体組織中に含まれる特定成分の濃度を非侵襲に分光学的に計測するための生体成分計測センサであって、
生体からの光を受光する受光手段に設けられた複数の受光領域と、
前記光が入射する入口側開口部および前記光が出射する出口側開口部を含み、前記複数の受光領域のそれぞれに対応して設けられて前記光を前記複数の受光領域のそれぞれに導く複数の導波路とを備え、
前記複数の導波路は、一体的に形成された導波路形成部材の内部に設けられ、
前記複数の導波路のそれぞれは、前記入口側開口部の開口面積が前記出口側開口部の開口面積よりも大きく形成されている、生体成分計測センサ。
【請求項２】
前記複数の導波路のそれぞれは、前記入口側開口部から前記出口側開口部に向かうにつれ、その開口面積が徐々に小さくなるように形成されている、請求項１に記載の生体成分計測センサ。
【請求項３】
前記複数の導波路のそれぞれは、前記入口側開口部における開口形状と前記出口側開口部における開口形状とが異なっている、請求項１に記載の生体成分計測センサ。
【発明の詳細な説明】
【技術分野】
【０００１】
本発明は、分光学的手法を用いて非侵襲に生体組織中に含まれる特定成分の濃度を計測するために用いられる生体成分計測センサに関するものである。
【背景技術】
【０００２】
血液や体液等に代表される生体組織中に含まれる特定の成分の濃度を計測することは、被験者の健康状態を知る上で非常に重要である。計測対象となる代表的な成分としては、たとえば血液中に含まれるグルコースやヘモグロビン、オキシヘモグロビン、中性脂肪、コレステロール、アルブミン、尿酸等を挙げることができる。たとえば、血液中に含まれるグルコースの濃度を計測することは、糖尿病患者の早期発見や治療に役立つ。なお、上記以外にも様々な成分の濃度計測が行なわれている。【０００３】
このように、医療分野においては、生体組織中に含まれる特定成分の濃度を計測することが頻繁に行なわれている。しかしながら、被験者から血液や体液等の試料を採取し、これを分析する侵襲的方法を採用したのでは、被験者に多大な負担を強いることになり、好ましい計測方法とは必ずしも言えない。そのため、非侵襲に生体組織中に含まれる特定成分の濃度計測が可能な方法が鋭意研究されており、その一つに分光学的手法を用いた計測方法がある。【０００４】
分光学的計測方法は、生体から発せられる放射光または生体を透過した透過光あるいは生体で反射した反射光を採光し、採光した光のスペクトルを検出することによって生体中に含まれる特定成分の濃度計測を行なうものである。たとえば、上述の血中グルコース濃度を計測する場合には、被測定部位である耳孔内の鼓膜から放射される放射光に含まれる近赤外線帯域または中赤外線帯域のスペクトルを解析することにより、血中グルコース濃度が計測される。この分光学的計測方法を実現する装置として、生体成分計測センサが用いられる。【０００５】
上述の生体成分計測センサが開示された文献として、たとえば特表２００１−５０３９９９号公報（特許文献１）がある。当該公報に開示の生体成分計測センサは、血中グルコース濃度を計測するものであり、鼓膜から放射される中赤外線帯域の２つ以上の波長の光を捉えてその出力から血中グルコース濃度を計測するものである。上記公報に開示の生体成分計測センサでは、鼓膜から放射される放射光を捉えて血中グルコース濃度が計測されるため、装置内に別途光源を設ける必要がなく、装置構成が簡略化でき、安価に製造することができる。
【特許文献１】特表２００１−５０３９９９号公報
【発明の開示】
【発明が解決しようとする課題】
【０００６】
しかしながら、上述の特表２００１−５０３９９９号公報に開示の生体成分計測センサにあっては、鼓膜から放射される放射光が非常に微弱であり、この微弱な放射光を用いて精度よく血中グルコース濃度を計測することが非常に困難であるという問題がある。特に、上記公報に開示される生体成分計測センサにあっては、耳孔に挿入されるプローブ内に設置された導波路がストレートなパイプ形状を有しており、その導波路の後端開口部の所定領域に２つの受光領域が配置されているため、導波路を通過する光量のうち、実際に受光領域にて受光される光量は全体のうちの一部のみであり、必ずしも効率のよい受光が行なわれているとは言い難い。【０００７】
したがって、本発明は、上述の問題点を解決すべくなされたものであり、生体からの光を効率よく受光することができる生体成分計測センサを実現することにより、生体組織中に含まれる特定成分の濃度計測を高精度に行なえるようにすることを目的とする。
【課題を解決するための手段】
【０００８】
本発明に基づく生体成分計測センサは、生体組織中に含まれる特定成分の濃度を非侵襲に分光学的に計測するためのものであって、複数の受光領域と、複数の導波路とを備える。上記複数の受光領域のそれぞれは、生体からの光を受光する受光手段に設けられる。上記複数の導波路は、上記光が入射する入口側開口部および上記光が出射する出口側開口部をそれぞれ含み、上記複数の受光領域のそれぞれに対応して設けられて上記光を上記複数の受光領域のそれぞれに導く。上記複数の導波路は、一体的に形成された導波路形成部材の内部に設けられる。上記複数の導波路のそれぞれは、上記入口側開口部の開口面積が上記出口側開口部の開口面積よりも大きく形成されている。【０００９】
ここで、上記の「生体からの光」には、生体から発せられる放射光の他に、光源から生体に向けて照射された光の透過光および反射光が含まれるものとする。また、上記の「一体的に形成された導波路形成部材」とは、一部品として複数の導波路を内部に形成したものや、内部に導波路が形成された複数部品を相互に組合わせて一体化して形成したものを含む意味であり、内部に導波路が形成された複数部品を相互に組合わせることなく、別々に配置した場合を除外する意味である。【００１０】
このように構成することにより、生体からの光が複数の導波路のそれぞれに分岐されて入射し、それぞれの導波路に入射した光が導波路の形状に沿って集光され、この集光された状態で受光領域に入射することになる。すなわち、導波路の入口側開口部においてはその開口面積が大きいため、より多くの光が導波路に入射するようになり、導波路の出口側開口部においてはその面積が入口側開口部よりも絞られているため、単位面積当たりの光量が増大した状態となる。したがって、複数の受光領域のそれぞれに入射する光の光量が増大し、受光領域における受光効率が向上し、精度よく生体組織中に含まれる特定成分の濃度計測が行なえることになる。また、複数の導波路が一体的に形成された導波路形成部材に設けられるため、受光手段と導波路との位置決めが容易となるばかりでなく、装置の小型化が可能になる。【００１１】
上記本発明に基づく生体成分計測センサにあっては、上記複数の導波路のそれぞれが、上記入口側開口部から上記出口側開口部に向かうにつれ、その開口面積が徐々に小さくなるように形成されていることが好ましい。【００１２】
このように構成することにより、複数の導波路のそれぞれに入射した光を導波路の壁面にて反射する回数を必要最小限に抑えた上で出口側開口部において集光することができるため、反射時における光の吸収や散乱が防止され、より高い受光効率を実現することができる。【００１３】
上記本発明に基づく生体成分計測センサにあっては、上記複数の導波路のそれぞれが、上記入口側開口部における開口形状と上記出口側開口部における開口形状とが異なるように構成されていてもよい。【００１４】
このように構成することにより、導波路の入口側においては可能な限り多くの光が導波路内に入射するように入口側開口部の形状を選択することができ、また導波路の出口側においては集光した光がロスなく受光領域に入射するように出口側開口部の形状を受光領域の形状に合わせて選択することができる。したがって、より高い受光効率を実現することができる。
【発明の効果】
【００１５】
本発明によれば、生体からの光を効率よく受光することができる生体成分計測センサとすることができるので、生体組織中に含まれる特定成分の濃度計測を高精度に行なえるようになる。
【図面の簡単な説明】
【００１６】
【図１】本発明の実施の形態における生体成分計測センサの使用状態を模式的に示す図である。
【図２】図１に示す生体成分計測センサの模式断面図である。
【図３】図１および図２に示す導波路形成部材の形状を示す図であり、（ａ）は導波路形成部材の側面図、（ｂ）は導波路形成部材の入口側端面の形状を示す図、（ｃ）は導波路形成部材の出口側端面の形状を示す図である。
【図４】本発明の実施の形態における生体成分計測センサの導波路形成部材の変形例を示す図であり、（ａ）は導波路形成部材の側面図、（ｂ）は導波路形成部材の入口側端面の形状を示す図、（ｃ）は導波路形成部材の出口側端面の形状を示す図である。
【図５】本発明の実施の形態における生体成分計測センサの導波路形成部材の他の変形例を示す図であり、（ａ）は導波路形成部材の側面図、（ｂ）は導波路形成部材の入口側端面の形状を示す図、（ｃ）は導波路形成部材の出口側端面の形状を示す図である。
【図６】本発明の実施の形態における生体成分計測センサの導波路形成部材のさらに他の変形例を示す図であり、（ａ）は導波路形成部材の側面図、（ｂ）は導波路形成部材の入口側端面の形状を示す図、（ｃ）は導波路形成部材の出口側端面の形状を示す図である。
【図７】本発明の実施の形態における生体成分計測センサの導波路形成部材のさらに他の変形例を示す図であり、（ａ）は導波路形成部材の側面図、（ｂ）は導波路形成部材の入口側端面の形状を示す図、（ｃ）は導波路形成部材の出口側端面の形状を示す図である。
【図８】本発明の実施の形態における生体成分計測センサの導波路形成部材のさらに他の変形例を示す図であり、（ａ）は導波路形成部材の側面図、（ｂ）は導波路形成部材の入口側端面の形状を示す図、（ｃ）は導波路形成部材の出口側端面の形状を示す図である。
【符号の説明】
【００１７】
１０  生体成分計測センサ、１１  プローブ部、１２  保護筐体、１３  防塵フィルム、１３ａ  防塵窓、１４，１８  導波路形成部材、１４Ａ，１４Ｂ  部材、１４ａ，１８ａ  前面、１４ｂ，１８ｂ  背面、１５，１６，１７，１９  導波路、１５ａ，１６ａ，１７ａ，１９ａ  入口側開口部、１５ｂ，１６ｂ，１７ｂ，１９ｂ  出口側開口部、２０  受光素子、２１，２２  受光領域、２３，２４  フィルタ、３０  鼓膜（被測定部位）。
【発明を実施するための最良の形態】
【００１８】
以下、本発明の一実施の形態について、図を参照して詳細に説明する。なお、以下に示す実施の形態においては、耳孔内に生体成分計測センサを内蔵するプローブ部を差し込み、この生体成分計測センサにて鼓膜から放射される中赤外線の２つの帯域の波長のスペクトルを検出し、これにより血中グルコース濃度を計測する血糖計に本発明を適用した場合を例示して説明を行なう。【００１９】
図１は、本発明の実施の形態における生体成分計測センサの使用状態を模式的に示す図であり、図２は、図１に示す生体成分計測センサの模式断面図である。また、図３は、図１および図２に示す導波路形成部材の形状を示す図であり、（ａ）は導波路形成部材の側面図、（ｂ）は導波路形成部材の入口側端面の形状を示す図、（ｃ）は導波路形成部材の出口側端面の形状を示す図である。【００２０】
図１に示すように、本実施の形態における生体成分計測センサ１０は、血糖計の検出端に含まれるものであり、耳孔内に位置する被検出部位である鼓膜３０から放射される微弱な放射光を検出するものである。計測に際しては、図１に示すように、検出端であるプローブ部１１を耳孔内に挿入し、挿入したプローブ部１１の前面（先端面）を鼓膜３０に対峙させ、この状態において鼓膜３０から放射される放射光をプローブ部１１の前面からプローブ部１１内に導入することによって行なわれる。【００２１】
図１および図２に示すように、生体成分計測センサ１０は、保護筐体１２および防塵フィルム１３からなるプローブ部１１の内部に配置された導波路形成部材１４および受光手段としての受光素子２０によって主に構成されている。【００２２】
上述の保護筐体１２は、前面開口の筒状の部材からなる。防塵フィルム１３は、保護筐体１２の前面開口を閉塞するように保護筐体１２に取付けられており、保護筐体１２の前面開口を閉塞する部分が特に防塵窓１３ａとして機能する。防塵フィルム１３は、プローブ部１１の内部に塵埃が進入することを防止するためのフィルムであり、この防塵フィルム１３には、たとえばプラスチックやガラス、シリコン、ゲルマニウム等の薄膜が利用される。本実施の形態においては、鼓膜３０から放射される放射光が良好に透過するように、ポリエチレンフィルムが利用されている。【００２３】
図２に示すように、導波路形成部材１４は、内部に２つの導波路１５，１６を有する一体的に形成された部材からなり、その前面がプローブ部１１の防塵窓１３ａに対峙するように配置されている。導波路形成部材１４は、たとえば樹脂材料や金属材料等によって形成されており、その内部に形成された導波路１５，１６を規定する内壁面は鏡面仕上げされている。鏡面仕上げの方法としては、種々の方法が適用可能であるが、たとえば金メッキや金、アルミニウム等の蒸着が好適である。【００２４】
プローブ部１１の内部の導波路形成部材１４の後方には、受光素子２０が配置されている。受光素子２０は、後述する受光領域において受光した光信号を電気信号に光電変換する素子である。受光素子２０としては、たとえば２つのフォトダイオードが単一の半導体基板に作り込まれたものを使用したり、１つのフォトダイオードが単一の半導体基板に作り込まれたものを２つ使用したりすることができる。受光素子２０の主表面には、２つの受光領域２１，２２が設けられている。これら受光領域２１，２２は、生体からの光を受光する領域である。【００２５】
受光領域２１，２２の表面には、フィルタ２３，２４がそれぞれ貼り付けられている。フィルタ２３，２４は、特定の帯域の波長の光のみを透過し、それ以外の帯域の波長の光の透過を防止する分光手段である。本実施の形態においては、フィルタ２３として血中グルコース濃度に依存する波長９μｍ〜１０μｍの中赤外線を透過するものを使用し、フィルタ２４として血中グルコース濃度に依存しない波長８μｍ〜９μｍの中赤外線を透過するものを使用する。なお、本実施の形態においては、分光手段としてフィルタを用いた場合を例示しているが、この他にも回折格子やプリズム等を利用することもできる。【００２６】
図２に示すように、導波路形成部材１４の内部に形成された導波路１５，１６は、プローブ部１１の前後方向に向かって延びており、一方の開口部は上述の防塵窓１３ａに面しており、他方の開口部はフィルタ２３，２４を介して受光素子２０の受光領域２１，２２にそれぞれ面している。図３（ａ）ないし図３（ｃ）に示すように、上記一方の開口部は、導波路形成部材１４の前面１４ａに設けられており、鼓膜３０から放射された放射光が入射する入口側開口部１５ａ，１６ａである。また、上記他方の開口部は、導波路形成部材１４の背面１４ｂに設けられており、導波路１５，１６を通過した上記放射光が出射する出口側開口部１５ｂ，１６ｂである。【００２７】
図２および図３（ａ）ないし図３（ｃ）に示すように、本実施の形態における生体成分計測センサ１０の導波路形成部材１４においては、上記入口側開口部１５ａ，１６ａの開口面積が、上記出口側開口部１５ｂ，１６ｂの開口面積よりも大きく形成されている。また、導波路１５，１６のそれぞれは、上記入口側開口部１５ａ，１６ａから上記出口側開口部１５ｂ，１６ｂに向かうにつれ、その開口面積が徐々に小さくなるように形成されている。具体的には、一例として、たとえば導波路形成部材１４の軸方向長さを３０ｍｍとし、入口側開口部１５ａ，１６ａを口径３ｍｍの円形状とし、出口側開口部１５ｂ，１６ｂを口径１ｍｍの円形状とする。【００２８】
以上のような構成とすることにより、鼓膜から放射される放射光が２つの導波路１５，１６のそれぞれに分岐されて入射し、それぞれの導波路１５，１６に入射した放射光が導波路１５，１６の形状に沿って集光され、この集光された状態でフィルタ２３，２４に照射される。フィルタ２３，２４に照射された放射光は、フィルタ２３，２４において２つの帯域の波長の中赤外線に分光され、それぞれの帯域の波長に分光された中赤外線のみが受光素子２０の受光領域２１，２２のそれぞれに入射することになる。そして、受光素子２０にて受光された光が光電変換されて出力され、血糖計本体においてこの出力信号に基づいてスペクトルが検出され、血中グルコース濃度の決定が行なわれる。【００２９】
上述のように、本実施の形態における生体成分計測装置１０においては、導波路１５，１６の入口側開口部１５ａ，１６ａにおいてはその開口面積が大きいため、より多くの光が導波路１５，１６に入射することになり、導波路１５，１６の出口側開口部１５ｂ，１６ｂにおいてはその面積が入口側開口部１５ａ，１６ａよりも絞られているため、単位面積当たりの光量が増大した状態となることになる。したがって、２つの受光領域２１，２２のそれぞれに入射する光の光量が増大し、受光領域２１，２２における受光効率が向上するようになる。その結果、精度よく生体組織中に含まれる血中グルコース濃度の計測が行なえるようになる。【００３０】
また、入口側開口部１５ａ，１６ａから出口側開口部１５ｂ，１６ｂに向かうにつれて開口面積が徐々に減じるように構成されているため、２つの導波路１５，１６のそれぞれに入射した光を、導波路１５，１６の壁面にて反射する回数を必要最小限に抑えた上で出口側開口部１５ｂ，１６ｂにおいて集光することができる。このため、反射に伴う光の吸収や散乱が必要最小限に抑制されることになり、光のロスが減少し、その結果より高い受光効率が実現される。したがって、精度よく生体組織中に含まれる血中グルコース濃度の計測が行なえるようになる。【００３１】
また、一体的に形成された導波路形成部材１４に２つの導波路１５，１６が設けられるため、受光素子２０の受光領域２１，２２と導波路１５，１６との位置決めが容易となり、装置の小型化にも寄与することになる。【００３２】
以上においては、中赤外線の２つの帯域の波長のスペクトルを検出し、これにより血中グルコース濃度を計測する血糖計に組み込まれる生体成分計測センサに本発明を適用した場合を例示して説明を行なったが、本発明は、他の生体成分を検出する計測装置に組み込まれる生体成分計測センサにも適用が可能であり、たとえば、中赤外線を利用するものの他に近赤外線を利用するものや可視光を利用するものなどにも適用が可能である。また、検出対象成分としては、上述のような血液中に含まれるグルコースの他に、ヘモグロビン、オキシヘモグロビン、中性脂肪、コレステロール、アルブミン、尿酸等が挙げられる。【００３３】
検出対象成分が異なる場合には、生体成分計測センサの構成も種々変更する必要がある。また、検出対象成分が上記のグルコースである場合にも、生体成分計測センサの構成を種々変更することが可能である。以下においては、それらの一例について説明する。【００３４】
図４ないし図８は、本実施の形態における生体成分計測センサの導波路形成部材の変形例を示す図であり、それぞれ（ａ）は導波路形成部材の側面図、（ｂ）は導波路形成部材の入口側端面の形状を示す図、（ｃ）は導波路形成部材の出口側端面の形状を示す図である。以下においては、これらの図を参照して、本実施の形態における生体成分計測センサの導波路形成部材の変形例について説明する。【００３５】
図４（ａ）ないし図４（ｃ）に示す変形例は、導波路形成部材１４に３つの導波路１５，１６，１７を形成した場合のものである。これら３つの導波路１５，１６，１７は、図示しない受光素子に設けられた３つの受光領域に対応して設けられたものであり、導波路形成部材１４の前面１４ａに設けられた入口側開口部１５ａ，１６ａ，１７ａから導波路１５，１６，１７に入射した光は、導波路１５，１６，１７内を通過して導波路形成部材１４の背面１４ｂに設けられた出口側開口部１５ｂ，１６ｂ，１７ｂにおいて集光されて出射し、図示しない受光素子の３つの受光領域にそれぞれ照射されて受光される。【００３６】
生体組織中に含まれる特定成分の濃度計測を行なう生体成分計測センサにおいては、検出対象成分によっては、３つ以上の帯域の波長のスペクトルを検出することが必要になる場合がある。また、干渉成分の除去のために３つ以上の帯域の波長のスペクトルを検出することが必要になる場合もある。それらの場合には、一体的に形成された導波路形成部材１４の内部に、検出する帯域の波長のスペクトルの数に応じた数の導波路を形成するとよい。上記図４（ａ）ないし図４（ｃ）は、３つの帯域の波長のスペクトルを検出することを想定した場合の変形例であるが、場合によっては、導波路を４つ、５つ、・・・と増やすことも可能である。【００３７】
図５（ａ）ないし図５（ｃ）に示す変形例は、導波路形成部材１４を軸心と平行な方向に２つの部材１４Ａ，１４Ｂに分割して構成し、これらを接着等によって組合わせることによって一体化した場合のものである。部材１４Ａ，１４Ｂのそれぞれには、導波路１５，１６が設けられている。そして、部材１４Ａ，１４Ｂの前面１４ａには、導波路１５，１６の入口側開口部１５ａ，１６ａがそれぞれ設けられ、部材１４Ａ，１４Ｂの背面１４ｂには、導波路１５，１６の出口側開口部１５ｂ，１６ｂがそれぞれ設けられている。【００３８】
このように、内部に導波路が形成された複数部材を相互に組合わせて一体化して導波路形成部材を形成した場合にも、上述の本実施の形態における効果と同様の効果が得られる。このように複数部材を相互に組合わせて一体化して形成した場合の利点としては、導波路形成部材を金属の切削や樹脂の成型にて製作する場合にこれら加工によっては形状が出し難い場合が想定されるが、その場合にも本構成の採用で製作が容易化することが挙げられる。【００３９】
図６（ａ）ないし図６（ｃ）に示す変形例および図７（ａ）ないし図７（ｃ）に示す変形例は、導波路１５，１６の入口側開口部１５ａ，１６ａの開口形状と、導波路１５，１６の出口側開口部１５ｂ，１６ｂの開口形状とを異形にした場合のものである。具体的には、図６（ａ）ないし図６（ｃ）に示す変形例においては、入口側開口部１５ａ，１６ａの開口形状を半円形状とし、出口側開口部１５ｂ，１６ｂの開口形状を円形状としている。また、図７（ａ）ないし図７（ｃ）に示す変形例においては、入口側開口部１５ａ，１６ａの開口形状を台形形状とし、出口側開口部１５ｂ，１６ｂの開口形状を矩形形状としている。【００４０】
このように、導波路の入口側開口部と出口側開口部の開口形状を異形にした場合には、導波路の入口側においては可能な限り多くの光が導波路内に入射するように入口側開口部の形状を選択することができ、また導波路の出口側においては集光した光がロスなく受光領域に入射するように出口側開口部の形状を受光領域の形状に合わせて選択することができるという利点が得られる。したがって、より高い受光効率を実現することができる。【００４１】
図８（ａ）ないし図８（ｃ）に示す変形例は、上述の実施の形態において説明した導波路形成部材１４を軸方向に短縮したものの前方に、別部材からなる導波路形成部材１８を接続したものである。導波路形成部材１８は、内部に１つの導波路１９を有しており、その前面１８ａに導波路１９の入口側開口部１９ａが、またその背面１８ｂに導波路１９の出口側開口部１９ｂがそれぞれ設けられている。導波路形成部材１８と導波路形成部材１４とは、その背面１８ｂとその前面１４ａとが接するように接続されている。これにより、導波路１５，１６が導波路１９にそれぞれ連通している。導波路形成部材１８は、その前面１８ａに設けられた入口側開口部１９ａの開口面積がその背面１８ｂに設けられた出口側開口部１９ｂの開口面積よりも小さく形成されており、その結果、導波路形成部材１８は、前面側が背面側に比べて先細の形状となっている。【００４２】
このように構成した場合には、生体成分計測センサの先端部の形状を先細にすることが可能になるため、これに合わせて計測装置のプローブ部の形状を先細形状にすることができる。したがって、このような構成の生体成分計測センサを、耳孔のように奥に行くにつれて孔が狭くなるような部位にプローブ部を挿し込んで計測を行なう必要のある計測装置に適用することにより、検出端であるプローブ部を孔内に挿し込み易い形状とすることができ、より被測定部位にプローブ部の先端を近付けることが可能となる。そのため、高精度の計測が行なえるようになる。【００４３】
以上において説明した実施の形態およびその変形例においては、生体の被測定部位から放射される放射光を受光する生体成分計測センサを例示して説明を行なったが、本発明は、光源から生体の被測定部位に向かって照射された光の透過光あるいは放射光を受光し、これを光電変換する生体成分計測センサに適用することも当然に可能である。【００４４】
また、以上において説明した実施の形態およびその変形例においては、生体の被測定部位として鼓膜を前提としたものを例示して説明を行なったが、被測定部位はこれに限られるものではなく、生体の様々な部位とすることが可能である。【００４５】
このように、今回開示した上記実施の形態はすべての点で例示であって、制限的なものではない。本発明の技術的範囲は請求の範囲によって画定され、また請求の範囲の記載と均等の意味および範囲内でのすべての変更を含むものである。
【図１】
2006132218.tif 000002
【図２】
2006132218.tif 000003
【図３】
2006132218.tif 000004
【図４】
2006132218.tif 000005
【図５】
2006132218.tif 000006
【図６】
2006132218.tif 000007
【図７】
2006132218.tif 000008
【図８】
2006132218.tif 000009
【国際調査報告】
2006132218.tif 000010
2006132218.tif 000011
2006132218.tif 000012
2006132218.tif 000013
2006132218.tif 000014
2006132218.tif 000015
2006132218.tif 000016